(57)【特許請求の範囲】
【請求項１】
エレベータのホール側ドアパネル開閉機構部において、
ホール側ドアパネルと共に移動する部材に回転可能に取り付けられ、係止部を有するロックレバーと、
前記ドアパネル開閉機構部を支持している固定部材に取り付けられ、前記係止部と係合する切り欠き部を有するロック用ベースと、
を備え、
前記ロックレバーは前記ホール側ドアパネルをアンロックする位置に保持されており、前記ロックレバーが予め設定された距離を移動したときには、前記ロックレバーの一方への回転により前記係止部と係合し、前記ホール側ドアパネルをロックする位置に前記ロックレバーが保持され、前記ロックレバーの反対方向への回転により再び前記ホール側ドアパネルをアンロックする位置に保持されることを特徴とするエレベータのドア開放ロック装置。
【請求項２】
前記ロックレバーを前記ロックする位置及び前記アンロックする位置それぞれに保持するボールプランジャを備えたことを特徴とする請求項１に記載のエレベータのドア開放ロック装置。
【請求項３】
前記ロック用ベースは、前記ロックレバーを前記ロックする位置まで案内するように構成したことを特徴とする請求項１又は２に記載のエレベータのドア開放ロック装置。
【請求項４】
前記ロックレバーの回転を制限する部材を設けたことを特徴とする請求項１〜３のいずれかに記載のエレベータのドア開放ロック装置。
【請求項５】
前記ロックレバーと、前記ロックレバーの回転を制限する部材との間にクッション部材を設けたことを特徴とする請求項１〜４のいずれかに記載のエレベータのドア開放ロック装置。
【発明の詳細な説明】
【０００１】
【発明の属する技術分野】
本発明は、エレベータのドア開放ロック装置に関する。
【０００２】
【従来の技術】
一般にエレベータにおいては、ドアが中央で分割され左右に開閉する中央両開き式のエレベータと、ドアが左右のいずれか一方向に開閉する片開き式のエレベータとがある。
【０００３】
図３に、一般的な左側片開き式エレベータのホールドアが閉じた状態でのホール側背面図を示す。この図３に示すように、エレベータのホール側ドアパネル１ａ，１ｂの上部にはホール側ドアパネル開閉機構部２が取り付けられている。ホール側ドアパネル開閉機構部２内には、ドアインタロック３が設けられている。
【０００４】
ホール側ドアパネル１ａ，１ｂは、ホール側ドアパネル開閉機構部２内に設けられた各ドアハンガー４に上端部が吊り下げられる形で支えられていて、ホール側ドアパネル開閉機構部２と連動して開閉動作する構成になっている。またドアインタロック３がドアハンガー４に取り付けられているために、通常、ホール側ドアパネル１ａ，１ｂはドア開閉時以外には戸開できない構造になっている。
【０００５】
【発明が解決しようとする課題】
このようなドアパネル開閉機構部２を備えたエレベータにおいて、乗りかごが何らかの原因で非常停止した場合には、乗りかごを最寄階に着床させて乗客を救出する必要がある。この場合、巻上機に付属するブレーキを徐々に解放して乗りかごを最寄階まで移動させることにより救出作業が行われるが、巻上機が機械室にあるエレベータの場合は、機械室内で昇降路内を監視しながら安全に作業を行うことができる。しかしながら、巻上機が昇降路内にあるマシンルームレスエレベータで、昇降路内の状況を把握できるような覗き窓がない場合は、保守員がホール側ドアパネル１ａ，１ｂを開放してホールから昇降路内の状況を把握しながら巻上機のブレーキを遠隔操作して救出作業を行うことになり、ホール側ドアパネル１ａ，１ｂが開放されていることによって、保守点検作業員が誤ってホールから昇降路内に転落する虞がある。
【０００６】
本発明は上述のような問題点を解決するためになされたもので、救出作業や保守点検作業等で、ホール側ドアパネルを開放して昇降路内を監視する必要が生じた場合に、ホール側ドアパネルが開放する間隔を狭い範囲に設定して確実にロックすることのできるエレベータのドア開放ロック装置を提供することを目的とする。
【０００７】
【課題を解決するための手段】
本発明の実施形態におけるエレベータのドア開放ロック装置は、エレベータのホール側ドアパネル開閉機構部において、ホール側ドアパネルと共に移動する部材に回転可能に取り付けられ、係止部を有するロックレバーと、ドアパネル開閉機構部を支持している固定部材に取り付けられ、係止部と係合する切り欠き部を有するロック用ベースと、を備え、ロックレバーはホール側ドアパネルをアンロックする位置に保持されており、ロックレバーが予め設定された距離を移動したときには、ロックレバーの一方への回転により係止部と係合し、ホール側ドアパネルをロックする位置にロックレバーが保持され、ロックレバーの反対方向への回転により再びホール側ドアパネルをアンロックする位置に保持されるものである。
【０００８】
また、本発明の実施形態におけるエレベータのドア開放ロック装置は、ロックレバーをロックする位置及びアンロックする位置それぞれに保持するボールプランジャを備えてもよい。
【０００９】
また、本発明の実施形態におけるエレベータのドア開放ロック装置は、ロック用ベースを、ロックレバーをロックする位置まで案内するように構成してもよい。
【００１０】
また、本発明の実施形態におけるエレベータのドア開放ロック装置は、ロックレバーの回転を制限する部材を設けてもよい。
【００１１】
また、本発明の実施形態におけるエレベータのドア開放ロック装置は、ロックレバーと、ロックレバーの回転を制限する部材との間にクッション部材を設けてもよい。
【００１２】
【発明の実施の形態】
以下、本発明の実施の形態を図に基づいて詳説する。図１（ａ）及び（ｂ）はは左片側開きのホール側ドアにおけるドア開放ロック装置を詳しく示している。図１（ａ）は正面図、同図（ｂ）は同図（ａ）のＸ−Ｘ線矢視図で、ドアパネル１ａ，１ｂが閉じている状態を示す。ドアパネル開閉機構部２の各ドアハンガー４にはドアパネル１ａ，１ｂが吊り下げられており、全閉時に差込みラッチ５と係止部６から成るドアインタロック３によりロックされ、ドア開信号により差込みラッチ５が持ち上げられてドアインタロック３が解除されることにより、ドアパネル１ａ，１ｂが左横方向に移動して開くようになっている。
【００１３】
ここで、ドアパネル１ａ側のドアハンガー４には、乗りかご側にベース部材７がドアパネル１ａの移動方向に沿って配置され、ボルト、ナット８によりドアハンガー４に固定されている。ベース部材７には軸９を中心にして回転可能なロックレバー１０が設けられている。このロックレバー１０には舌片状の係止部１０ａ，１０ｂとＬ字状のロック部材１０ｃが設けられている。
【００１４】
係止部１０ａはベース部材７の一端側に形成された孔７ａを貫通してホール側に延び、係止部１０ｂはベース部材７の他端側に形成された孔７ｂを貫通してホール側に延びるようにそれぞれ設けられている。また係止部１０ｂの上下の面にはゴム等のクッション材１１が取付けられている。これら係止部１０ａ，１０ｂが各孔７ａ，７ｂの内側に当接することによりロックレバー１０の回転が制限されている。このうち係止部１０ｂのクッション材１１はドアパネルの開閉による振動等によってロックレバー１０が振れてベース部材７の孔７ｂの内縁に当接した際の衝撃、騒音の発生を緩和している。このクッション材１１はベース部材７の孔７ｂ側に設けても良い。
【００１５】
ロック部材１０ｃはベース部材７の他端側に係止部１０ｂと反対側の位置で乗りかご側に延びるように設けられており、その折曲げ部が横方向に移動して後述するロック用ベース１２の切欠部１２ａに嵌合することによりロックされ、ドアパネル１ａが移動できないようになっている。
【００１６】
ベース部材７にはロックレバー１０の回転に際して位置決めをするボールプランジャー１３ａ，１３ｂが設けられている。これらボールプランジャ１３ａ，１３ｂは、筒内に図示しないバネを収納し、このバネを介してボールを押圧支持したもので、ロックレバー１０の回転に際してロックレバー１０面を摺動し、ロックレバー１０面に形成された各一対の孔１４ａと１４ｂ又は１５ａと１５ｂに嵌り込むことによってロックレバー１０を位置決めする。ロックレバー１０にさらなる回動力が付加されたときには孔１４ａと１４ｂ又は１５ａと１５ｂから抜け出してロックレバー１０が回動できるようになっている。
【００１７】
ロック用ベース１２はドアパネル開閉機構部２の支持部材である三方枠１６に固定されたロッド１７に取付けられ、ロックレバー１０の乗りかご側に位置して横方向に延びるように設けられている。このロック用ベース１２にはロック部材１６がドアパネル全閉時における位置から図示左方向に予め設定された短い距離、例えば、１２５ｍｍ移動した際に嵌り合う切欠部１８ａが設けられている。この予め設定された短い距離とは、保守作業員が昇降路内を監視するのに要する間隔であり、ドアパネル１ｂの幅寸法より小さく、保守作業員が出入りできない間隔寸法をいう。
【００１８】
次に、このように構成されたドア開放ロック装置の動作について、図２を参照して説明する。図２中、（ａ）はドアパネル１ａ，１ｂが全閉時の状態、（ｂ）はドアパネル１ａが１２５ｍｍ開放し、ドアロック施錠前の状態、（ｃ）及び（ｄ）はドアパネル１ａが１２５ｍｍ開放し、ドアロック施錠時の状態、（ｅ）はドアパネル１ａが１２５ｍｍ開放し、ドアロック解錠時の状態を示す。
【００１９】
図２（ａ）のドアパネル１ａ，１ｂの全閉時において、ロックレバー１０は左肩上がりの傾斜状態にあり、ボールプランジャが孔１４ａ，１４ｂに嵌り込んでいて位置決めされている。ドアパネル１ａ，１ｂが通常に開閉するときにもこの状態が維持される。
【００２０】
そして、例えば、乗りかごが非常停止した際にドアパネル１ａを開放する必要が生じたときには、三方枠とドアハンガー４との間若しくは幕板がある場合には幕板とドアハンガー４との間にアンロックキーを差し込んでドアインタロック３を解錠した後、ドアパネル１ａを５０ｍｍ以内で図示左側に開放し、手で押さえつけておく。その後、図２（ｂ）に示すようにアンロックキー１８を垂直にし、三方枠とドアハンガー４との間に差し込み、係止部１０ｂを介してドア開放ロック装置のロックレバー１０を押し上げる。アンロックキー１８により係止部１０ｂを押し上げてロック用ベース１２の下面に案内させながらドアパネル１ａを図示左側にゆっくりと開いていく。
【００２１】
ドアパネル１ａと共にロックレバー１０及びロック部材１０ｃが全閉時の位置から１２５ｍｍ移動すると、図２（ｃ）及び（ｄ）に示すようにロック部材１０ｃがロック用ベース１２の切欠部１２ａに引っ掛る手応えがあるので、このときにドアパネル１ａを押え、アンロックキー１８をさらに押し上げ、ボールプランジャと孔１５ａ，１５ｂが嵌合してロックレバー１０が位置決めされる位置まで押し上げてロック部材１０ｃと切欠部１２ａとの嵌合状態をロックして施錠状態にする。
【００２２】
これにより、ドアパネル１ａはドアパネル１ｂとの間に１２５ｍｍの狭い間隔で開放された状態が維持されるので、この開口部から昇降路内の巻上機や乗りかごを監視し、巻上機のブレーキを開放して乗りかごを最寄階に着床させる。
【００２３】
次に、ドア開放ロック装置を通常の状態に復帰させるには、三方枠とドアハンガー４との間にアンロックキー１８を上下の向きを反対側にして差し込み、係止部１０ａを介してロックレバー１０を押し上げることによりロック部材１０ｃと切欠部１２ａとの嵌合状態を解除し、図２（ａ）に示す状態に戻してドアパネル１ａを図示右側に移動させてドアインタロック３を施錠する。
【００２４】
このように本実施の形態によれば、救出作業や保守点検作業等に際して、アンロックキー１８を用いて、ドアパネル１ａを開放してドアパネル１ｂとの間に１２５ｍｍの狭い間隔の開放状態を容易にかつ確実に設定し維持することができ、この開口部から安全に昇降路内の巻上機や乗りかごを監視し、巻上機のブレーキを徐々に開放して乗りかごを最寄階に着床させることができる。
【００２５】
【発明の効果】
以上のように本発明によれば、救出作業や保守点検作業等で、ホール側ドアパネルを開放して昇降路内を監視する必要が生じた場合に、ホール側ドアパネルが開放する間隔を狭い範囲に設定して確実にロックすることができるエレベータのドア開放ロック装置を提供することができる。
【図面の簡単な説明】
【図１】本発明のエレベータのドア開放ロック装置の一実施の形態を示し、（ａ）は正面図、（ｂ）は（ａ）のＸ−Ｘ線矢視図。
【図２】図１におけるドア開放ロック装置部分を示す拡大図で、（ａ）はドアパネル全閉時の状態を示す正面図、（ｂ）はドアパネルが狭い間隔で開放された状態を示す正面図、（ｃ）はドアパネルが予め設定された間隔で開放され、ロックされた状態を示す平面図、（ｄ）は同正面図、（ｅ）はロックが解除された状態を示す正面図。
【図３】従来例のホール側ドア装置の背面図。
【符号の説明】
１ａ，１ｂ  ドアパネル
２  ドアパネル開閉機構部
３  ドアインタロック
４  ドアハンガー
７  ベース部材
９  軸
１０  ロックレバー
１１  クッション材
１２  ロック用ベース
１２ａ  切欠部
１３ａ，１３ｂ  ボールプランジャ
１４ａ，１４ｂ，１５ａ，１５ｂ  孔
１６  三方枠
１７  ロッド
１８  アンロックキー
【図１】
0004609873.tif 000002
【図２】
0004609873.tif 000003
【図３】
0004609873.tif 000004